(57)【要約】【課題】ペットボトルをはじめとするプラスチック容器をリサイクルするに当たり、当該プラスチック容器を低コストで、かつ十分に小さくなるまで圧縮することのできる装置を提供する。【解決手段】プラスチック容器１を横転姿勢で上載し、その長手方向に搬送する搬送機構１０と、搬送機構１０の近傍に設けられ、搬送されてきたプラスチック容器１を支持する支持機構２０と、支持機構２０によって押圧支持されたプラスチック容器１を、縦方向に二分割する切断機構３０と、切断機構３０の下流側に設けられ、二分割されたプラスチック容器１である分割容器１ａを押し潰して圧縮するプレス機構４０と、で構成する。【選択図】        図１
0003112406.tif 000002
【実用新案登録請求の範囲】
【請求項１】
ペットボトルをはじめとするプラスチック容器（１）をリサイクルするに当たり，縦方向に二分割して圧縮する装置であって、
前記プラスチック容器を横転姿勢で上載し，その長手方向に搬送する搬送機構（１０）と、
前記搬送機構の近傍に設けられ，搬送されてきた前記プラスチック容器を支持する支持機構（２０）と、
前記支持機構によって押圧支持された前記プラスチック容器を，縦方向に二分割する切断機構（３０）と、
前記切断機構の下流側に設けられ，二分割されたプラスチック容器である分割容器（１ａ）を押し潰して圧縮するプレス機構（４０）と、からなるプラスチック容器分割圧縮装置。
【請求項２】
ペットボトルをはじめとするプラスチック容器（１）をリサイクルするに当たり，縦方向に二分割して圧縮する装置であって、
前記プラスチック容器を横転姿勢で上載し，その長手方向に搬送すべく，二本の送りコンベア（１１）を，その間に中央空間部（１２）を開けて左右に並列設した搬送機構（１０）と、
前記各送りコンベアの上方に縦方向に設けられ，伸縮自在のロッド（２２ａ）の先端部に回転コロ（２３）を軸止し，該回転コロを搬送されてきた前記プラスチック容器の上面側端部に押圧させて支持する複数のエアシリンダー（２２）を直列設したシリンダー群（２１）を，左右に並列設した支持機構（２０）と、
前記中央空間部から上方に突出して回転し，前記支持機構によって押圧されて支持された前記プラスチック容器を，縦方向に二分割する丸鋸（３１）を有する切断機構（３０）と、
前記切断機構の下流側で，前記各送りコンベアの上方に設けられ，二分割されたプラスチック容器である分割容器（１ａ）を上から押し潰して圧縮する二つのプレスローラー（４１）を左右に並列設したプレス機構（４０）と、からなるプラスチック容器分割圧縮装置。
【考案の詳細な説明】
【技術分野】
【０００１】
本考案は、ペットボトルをはじめとするプラスチック容器を、リサイクルするに当たり、当該プラスチック容器を分割して圧縮するための装置に関するものである。
【背景技術】
【０００２】
従来から、飲料用の容器等としてペットボトルをはじめとするプラスチック容器が多く使用されている。こうしたプラスチック容器の多くは、リサイクルして再利用するために細かいフレーク状やペレット状に粉砕するが、その粉砕工程に先立ち、圧縮して保管している。従来、この圧縮は、プラスチック容器を切断分割することなく単に押し潰すことによって行っている。
【考案の開示】
【考案が解決しようとする課題】
【０００３】
しかし、プラスチック容器の圧縮を、単に押し潰すことによって行うと大きな圧縮力を必要とするので大型のプレス機を必要としてコストが嵩む。また、プラスチック容器が基本的に原形を維持しているので、容易に、十分に小さくなるまで圧縮することが困難である。
【０００４】
本考案はこうした問題に鑑み創案されたもので、ペットボトルをはじめとするプラスチック容器をリサイクルするに当たり、当該プラスチック容器を低コストで、かつ、容易に、十分に小さくなるまで圧縮することのできる装置を提供することを課題とする。
【課題を解決するための手段】
【０００５】
図１および図２を参照して説明する。請求項１に記載の考案は、ペットボトルをはじめとするプラスチック容器１をリサイクルするに当たり、縦方向に二分割して圧縮する装置であって、前記プラスチック容器１を横転姿勢で上載し、その長手方向に搬送する搬送機構１０と、前記搬送機構１０の近傍に設けられ、搬送されてきた前記プラスチック容器１を支持する支持機構２０と、前記支持機構２０によって押圧支持された前記プラスチック容器１を、縦方向に二分割する切断機構３０と、前記切断機構３０の下流側に設けられ、二分割されたプラスチック容器１である分割容器１ａを押し潰して圧縮するプレス機構４０と、からなるものである。
【０００６】
請求項２に記載の考案は、ペットボトルをはじめとするプラスチック容器１をリサイクルするに当たり、縦方向に二分割して圧縮する装置であって、前記プラスチック容器１を横転姿勢で上載し、その長手方向に搬送すべく、二本の送りコンベア１１を、その間に中央空間部１２を開けて左右に並列設した搬送機構１０と、前記各送りコンベア１１の上方に縦方向に設けられ、伸縮自在のロッド２２ａの先端部に回転コロ２３を軸止し、当該回転コロ２３を搬送されてきた前記プラスチック容器１の上面側端部に押圧させて支持する複数のエアシリンダー２２を直列設したシリンダー群２１を、左右に並列設した支持機構２０と、前記中央空間部１２から上方に突出して回転し、前記支持機構２０によって押圧されて支持された前記プラスチック容器１を、縦方向に二分割する丸鋸３１を有する切断機構３０と、前記切断機構３０の下流側で、前記各送りコンベア１１の上方に設けられ、二分割されたプラスチック容器１である分割容器１ａを上から押し潰して圧縮する二つのプレスローラー４１を左右に並列設したプレス機構４０と、からなるものである。
【考案の効果】
【０００７】
請求項１に記載のプラスチック容器分割圧縮装置は、プラスチック容器１を搬送機構１０で搬送しながら、支持機構２０で上から押圧した状態で切断機構３０によって縦方向に二分割して分割容器１ａとし、その分割容器１ａをプレス機構４０で押し潰すので、容易に、十分に小さくなるまで圧縮することができる。また、すでに二分割されプラスチック容器１の原形を持たない分割容器１ａを押し潰すので小さな圧縮力で済み、よって小型のプレス機構４０で対応することができる。よって、コストを削減することができる。
【０００８】
請求項２に記載のプラスチック分割圧縮装置は、請求項１に記載の発明と同様に、プラスチック容器１を、容易に小さく圧縮することができると共に、コストを削減することができる。
【０００９】
また、この分割圧縮装置は、支持機構２０を構成するエアシリンダー２２のロッド２２ａが伸縮自在であるので、搬送されてくるプラスチック容器１の大きさ（径）によって自在に伸縮し、大きさの異なる各種のプラスチックに対応することができる。また、ロッド２２ａに回転コロ２３を設けているので、搬送されてきたプラスチック容器１の上面を転動させることができ、当該プラスチック容器１の移動を妨げない。
【００１０】
また、搬送機構１０を二本の送りコンベア１１で構成し、その間の中央空間部１２から切断機構３０の丸鋸３１を突出させているので、プラスチック容器１を縦方向に等分に二分割することができる。
【００１１】
さらに、支持機構２０においては、エアシリンダー２２でプラスチック容器１の上面を押圧し、また、プレス機構４０においては、プレスローラー４１で分割容器１ａを上から押し潰し、共に、送りコンベア１１と協働して支持および圧縮を行うので、構成が簡易であり、製造コストの低廉化を図ることができる。
【考案を実施するための最良の形態】
【００１２】
本考案に係るプラスチック容器分割圧縮装置の実施形態を、図１および図２に示す。これは、プラスチック容器（ペットボトル）１をリサイクルするに当たり、縦方向に二分割して圧縮する装置であり、搬送機構１０、支持機構２０、切断機構３０、およびプレス機構４０を備える。
【００１３】
搬送機構１０は、プラスチック容器１を横転姿勢で上載し、その長手方向に搬送するもので、二本の送りコンベア１１を、その間に中央空間部１２を開けて左右に並列設して形成している。この送りコンベア１１は、無端コンベアであり、その前端部にモーターによって回転する駆動ローラー１３を備え、その後端部に従属して回転する従動ローラー１４を有する。
【００１４】
また、少なくとも、支持機構２０およびプレス機構４０の下位部分に、プラスチック容器１または分割容器１ａを送りコンベア１１の下から支持する支持ローラー１５を複数設けている。この送りコンベア１１は、ベルトコンベアやチェーンコンベア等で形成することができる。
【００１５】
支持機構２０は、シリンダー群２１を左右に並列設して構成したものである。また、各シリンダー群２１は、複数のシリンダー２２を直列設することによって構成している。各エアシリンダー２２は、各送りコンベア１１の上方に縦方向に設けられ、伸縮自在のロッド２２ａの先端部に回転コロ２３を軸止し、その回転コロ２３を搬送されてきたプラスチック容器１の上面側端部に押圧させて送りコンベア１１との間で支持するものである。
【００１６】
切断機構３０は、中央空間部１２から上方に突出して回転し、支持機構２０によって押圧されて支持されたプラスチック容器１を、縦方向にほぼ等分に二分割する丸鋸３１を有する。
【００１７】
そして、プレス機構４０は、丸鋸３１の下流側で、各送りコンベア１１の上方に設けられ、二分割されたプラスチック容器１である分割容器１ａを上から押し潰して圧縮する二つのプレスローラー４１を左右に並列設して構成している。
【００１８】
なお、本実施形態においては、プラスチック容器圧縮分割装置の上流側に、自動投入装置５０を設け、並列状に並べたプラスチック容器１を一本ずつ搬送機構１０の中央に上載するようにしている。
【００１９】
このプラスチック容器分割圧縮装置は、次のように作用する。まず、プラスチック容器１が自動投入装置５０から搬送機構１０に送られ、そのまま搬送される。搬送されたプラスチック容器１は、その上面の左右側端部を二つのシリンダー群２１によって押圧される。このとき、各エアシリンダー２２のロッド２２ａはエアー圧によって自在に伸縮するので、あらゆる大きさ（径）のプラスチック容器１の上面側端部を常に適度な力で押圧する。このロッド２２ａは、適当な手段によって伸縮させる。
【００２０】
また、この際、送りコンベア１１の下に支持ローラー１５を設けているので、当該支持ローラー１５が送りコンベア１１を下から支持する。従って、プラスチック容器１は、エアシリンダー２２と送りコンベア１１とによって強く支持される。さらに、エアシリンダー２２のロッド２２ａには回転コロ２３を設けているので、プラスチック容器１は、エアシリンダー２２に押圧された状態で止まることなく円滑に搬送される。
【００２１】
当該プラスチック容器１は、この状態でさらに下流側に搬送され、中央空間部１２から突出して回転する丸鋸３１によって、その中心部分が縦方向に二分割され、分割容器１ａとされる。
【００２２】
そして、二つの分割容器１ａは、それぞれプレスローラー４１によって上から押し潰されて十分に小さく圧縮されて、圧縮容器１ｂとなる。このときも、送りコンベア１１の下に支持ローラー１５を設けているので、この支持ローラー１５が送りコンベア１１を下から支持する。従って、プラスチック容器１を確実に押し潰して小さく圧縮することができる。こうした圧縮された分割容器１ａは、まとめられて保管された後、フレーク状やペレット状に粉砕され、再利用される。
【００２３】
本実施形態におけるプラスチック容器分割圧縮装置は、プラスチック容器１を二分割した後、押し潰すので、従来のようにそのままの状態で押し潰すのと比較して、容易に、十分に小さくなるまで圧縮することができる。また、小さな圧縮力で押し潰すことができるので、小型のプレス機構４０を使用することができ、コストを抑えることができる。
【００２４】
なお、本考案は上記実施形態の構成に限定されるものではない。例えば、支持機構はエアシリンダー２２のみでなく、他の機械的な手段によって形成することができる。また、切断機構３０も、丸鋸３１のみでなく、例えば、レーザー光線等による他の手段によって形成することができる。さらに、プレス機構４０も、分割容器１ａを上から押し潰すものに限らず、例えば、左右方向から押し潰す構成とすることもできる。
【００２５】
ペットボトルは通常異なる種類の合成樹脂により容器本体，キャップ，ラベルから作られている。したがって、分別回収が望ましい。それ故プレス機構４０の下流側に吸引装置６０，６１を配置し、重力差を利用し小型・軽量なキャップ，ラベルを吸出して、分別収集するようにすることもできる。
【図面の簡単な説明】
【００２６】
【図１】本考案に係るプラスチック容器分割圧縮装置の実施形態を示す側面図である。
【図２】図１に示す分割圧縮装置の平面図である。
【符号の説明】
【００２７】
１        プラスチック容器
１ａ      分割容器
１ｂ      圧縮容器
１０      搬送機構
１１      送りコンベア
１２      中央空間部
１３      駆動ローラー
１４      従動ローラー
１５      支持ローラー
２０      支持機構
２１      シリンダー群
２２      エアシリンダー
２２ａ    ロッド
２３      回転コロ
３０      切断機構
３１      丸鋸
４０      プレス機構
４１      プレスローラー
５０      自動投入装置
６０      負圧吸引装置
６１      負圧吸引装置
【図１】
0003112406.tif 000003
【図２】
0003112406.tif 000004